(57)【特許請求の範囲】
【請求項１】
文字・画像の少なくとも一つ以上からなるデジタル面またはテレビジョン映像を表示する表示部を備えたオーディオ・ビジュアル機器におけるビデオメモリ内の表示データを表示部へ表示させる表示制御回路であって、
文字データを前記表示部の少なくとも水平方向１ライン分記憶できる文字表示メモリと、
画像データを前記表示部の少なくとも水平方向１ライン分記憶できる第１の画像表示メモリ及び第２の画像表示メモリと、
１水平期間における帰線期間内の文字書込期間にビデオメモリから文字データを読み出し、その読み出したデータのままで前記文字表示メモリに書き込み、前記文字書込期間以外の期間にビデオメモリから画像データを読み出し、１ライン毎に第１の画像表示メモリまたは第２の画像表示メモリに交互に書き込むビデオメモリ制御手段と、
前記１水平期間内における表示期間に前記文字表示メモリから文字データを読み出すとともに第１の画像表示メモリまたは第２の画像表示メモリから１ライン毎に交互に画像データを読み出し、文字データについてパレット参照し、当該参照結果に応じて文字データまたは画像データを表示させる表示出力手段とを少なくとも備えたことを特徴とするオーディオ・ビジュアル機器の表示制御回路。
【請求項２】
請求項１記載のオーディオ・ビジュアル機器の表示制御回路において、
前記ビデオメモリ制御手段は、０ライン目の帰線期間内における文字書込期間以外の期間に、ビデオメモリから画像データを読み出して第１の画像表示メモリに書き込み、１ライン目以降の帰線期間内における文字書込期間以外の期間に、ビデオメモリから当該ラインの次のラインの画像データを読み出して前記第２の画像表示メモリまたは前記第１の画像表示メモリに１ライン毎に交互に書き込むことを特徴とするオーディオ・ビジュアル機器の表示制御回路。
【請求項３】
請求項１記載のオーディオ・ビジュアル機器の表示制御回路において、
前記表示出力手段は、前記１水平期間内における表示期間に前記文字表示メモリから文字データを読み出すとともに、前記文字データに対応したラインの画像データを、第１の画像表示メモリまたは第２の画像表示メモリから水平走査１ライン毎に交互に読み出し、文字データについてはパレット参照して文字データに色付けし、文字データが透明色に色付けされたときは画像データを、文字データが透明色以外の色に色付けされたときは文字データを選択して表示させることを特徴とするオーディオ・ビジュアル機器の表示制御回路。
【請求項４】
請求項１ないし３のいずれかに記載の表示制御回路を備えたことを特徴とするオーディオ・ビジュアル機器。
【発明の詳細な説明】
【０００１】
【発明の属する技術分野】
本発明は、オーディオ・ビジュアル機器の表示制御回路に係り、特に、文字・画像の少なくとも一つ以上からなるデジタル面またはテレビジョン映像を表示する表示部を備えたオーディオ・ビジュアル機器におけるビデオメモリ内の表示データを表示部へ表示させる表示制御回路およびオーディオ・ビジュアル機器に関する。
【０００２】
【従来の技術】
従来、例えばテレビジョン（テレビ）受信機能とＦＭラジオ受信機能とを併せ持ったオーディオ・ビジュアル（ＡＶ）機器は、所定の大きさの筐体に、スピーカ、表示部、電源スイッチ、チャネル・選局や音量調整のための操作部、及び外部の機器と接続するためのジャック端子等が配置されているものが一般的である。
【０００３】
このようなＡＶ機器において、前記操作部からの操作指令は中央演算処理装置（ＣＰＵ）に一旦取り込まれ、当該操作指令に基づく前記ＣＰＵからの指令により、テレビ受信機能あるいはＦＭラジオ機能の選択、チャネル・選局、あるいは、音量等調整の処理を行っている。
【０００４】
このように操作部から前記ＣＰＵに入力があったときに、前記ＣＰＵは、前記入力された内容を表示部に表示している。この表示部への表示制御は、具体的には、表示制御回路によって行われている。
【０００５】
図５は、従来のオーディオ・ビジュアル機器における表示系統を示すブロック図である。この図５において、従来のオーディオ・ビジュアル機器の表示制御回路における表示系統１１０は、各種制御を実行する処理装置１１２と、表示データを格納しあるいは表示データ作成時の作業領域を提供するビデオメモリ（ＶＲＡＭ）１１４と、所定の画素数のカラー液晶パネル（ＬＣＤ）などから形成した表示部１１６と、前記処理装置１１２からの表示データをビデオメモリ１１４に書込制御をするとともに、ビデオメモリ１１４から表示データを読み出して表示部１１６に与える表示制御回路１１８とから構成されている。
【０００６】
表示部１１６には、文字・画像の少なくとも一つ以上からなるデジタル面、またはテレビジョン映像を切り換えて表示できる。さらに、表示部１１６には、一般にオンスクリーンディスプレイ手法による表示もできるようになっている。また、処理装置１１２は、例えばオーディオ・ビジュアル機器の図示しない操作部が操作されると、表示データを作成して表示制御回路１１８に与える。すると、前記表示制御回路１１８は、処理装置１１２が作成した文字データなどの表示データをビデオメモリ１１４に書き込む。
【０００７】
そして、前記表示制御回路１１８は、ビデオメモリ１１４に書き込まれた表示データを読み出し、図示しない表示メモリに書き込む。表示制御回路１１８は、図示しない表示メモリから表示データを読み出して表示部１１６に与えることにより、表示部１１６に画像が形成されて表示される。このように前記表示制御回路１１８は、ビデオメモリ１１４内に書き込まれた表示データを表示部１１６へ表示させる制御をしている。
【０００８】
このようなオーディオ・ビジュアル機器の表示制御回路１１８において、画像データと文字データとを重ね合わせて表示する場合、大別すると、次の３つの手法をとっていた。
（ｉ）画像表示メモリと文字表示メモリとをそれぞれ２ラインづつ設け、画像データについてはビデオメモリ１１４から画像データを読み出しては１水平期間（１ライン）毎に画像表示メモリを交互に切り換えて書き込み、同様に、文字データについてもビデオメモリ１１４から文字データを読み出しては１水平期間（１ライン）毎に文字表示メモリを交互に切り換えて書き込み、それら書き込みに使用されていない画像表示メモリ及び文字画像メモリから表示データを読み出し、所定の重ね合わせ処理を施して表示部１１６に与える手法（第１の従来技術）。
（ｉｉ）２本の表示メモリを設け、ビデオメモリ１１４から画像データ及び文字データを読み出し、１水平期間（１ライン）毎に交互に表示メモリ上で画像データと文字データとを重ね合わせて処理する手法（第２の従来技術）。
（ｉｉｉ）表示モメリを持たないで、ビデオメモリ１１４上で重ね合わせの処理を行なう手法（第３の従来技術）。
【０００９】
【発明が解決しようとする課題】
上記した（ｉ）の第１の従来技術によれば、画像表示メモリを２ライン分、文字表示メモリを２ライン分必要であり、部品点数が多く回路構成が煩雑になるという欠点があった。
【００１０】
また、（ｉｉ）の第２の従来技術によれば、部品点数は少なくなるものの、ビデオメモリ１１４へのアクセスが遅くなり、転送が間に合わなくなるという欠点があった。この欠点が出現する理由を、図６を参照して説明する。図６（１）はパレットデータのまま表示メモリに書き込む場合の従来技術の説明図であり、（２）は画像データと文字データとを重ね合わせる場合にパレット参照を加えた場合の従来技術の説明図である。
【００１１】
図６において、ビデオメモリ（ＶＲＡＭ）１１４に書き込まれているパレットデータは、１画素当たり２ビットが割り当てられていて、１ワードには４画素が割り当てられており、かつ、１ワードは８ビットで構成されているものとする。また、画像データ（カラーも含む）を表示メモリに書き込むときには、１画素が１６ビットで構成されていることになるので、２ワード分の構成となるものとする。
【００１２】
ここで、ビデオメモリ１１４から１ワード読み出すと、パレットデータは４画素×２ビット＝８ビットになり、表示メモリには１ワードのまま書き込むことができる。したがって、表示制御回路１１８は、同図（１）に示したように、上記のビデオメモリ１１４から表示メモリへの書き込みを連続実行することが可能である。
【００１３】
ところが、表示メモリ上で画像データと文字データとを重ね合わせる場合には、１６ビットの画像データをビデオメモリ１１４から読み出し、かつ、ビデオメモリ１１４から１ワード（４画素）分の表示データを読み込む（図６（２）ステップ２１０）。
【００１４】
ついで、表示データについて表示メモリに書き込む前にパレットを参照する必要があるため文字のパレットを参照し（ステップ２１２）、画像データ長に合わせると、４画素×１６ビット＝６４ビットとなる。このため、１ワードが８ビットであるので、表示メモリには８ワードのデータが書き込まれることになる（ステップ２１４）。したがって、図６（２）の場合、同図（１）に比較してビデオメモリ（ＶＲＡＭ）１１４へのアクセスが、非常に遅くなってしまう（描画との競合処理が複雑になる）という欠点があった。
【００１５】
そして、上記（ｉｉｉ）の第３の従来技術では、表示期間中に頻繁にビデオメモリ１１４へのアクセスを行なうため、描画系のアクセスが間欠的になり、待ち時間が結果的に増加し、描画が遅くなるいう欠点があった。
【００１６】
本発明は、上述した欠点を解消するためになされたものであって、多彩な画像表示との競合制御を簡潔にするオーディオ・ビジュアル機器の表示制御回路を提供することを目的としている。
【００１７】
【課題を解決するための手段】
上記目的を達成するために本発明に係るオーディオ・ビジュアル機器の表示制御回路は、文字・画像の少なくとも一つ以上からなるデジタル面またはテレビジョン映像を表示する表示部を備えたオーディオ・ビジュアル機器におけるビデオメモリ内の表示データを表示部へ表示させる表示制御回路であって、
文字データを前記表示部の少なくとも水平方向１ライン分記憶できる文字表示メモリと、
画像データを前記表示部の少なくとも水平方向１ライン分記憶できる第１の画像表示メモリ及び第２の画像表示メモリと、
１水平期間における帰線期間内の文字書込期間にビデオメモリから文字データを読み出し、その読み出したデータのままで前記文字表示メモリに書き込み、前記文字書込期間以外の期間にビデオメモリから画像データを読み出し、１ライン毎に第１の画像表示メモリまたは第２の画像表示メモリに交互に書き込むビデオメモリ制御手段と、
前記１水平期間内における表示期間に前記文字表示メモリから文字データを読み出すとともに第１の画像表示メモリまたは第２の画像表示メモリから１ライン毎に交互に画像データを読み出し、文字データについてパレット参照し、当該参照結果に応じて文字データまたは画像データを表示させる表示出力手段とを少なくとも備えたことを特徴とする。
【００１８】
このように形成した本発明においては、ビデオメモリ制御手段により文字データについては帰線期間内における文字書込期間にビデオメモリから文字表示メモリに書き込み、前記文字書込期間以外で表示に使用されていない画像表示メモリに画像データを書き込み、また、表示出力手段により、前記１水平期間内における表示期間に、前記文字表示メモリから文字データを読み出すとともに第１の画像表示メモリまたは第２の画像表示メモリから１ライン毎に交互に画像データを読み出し、文字データについてパレット参照し、当該参照結果に応じて文字データまたは画像データを表示させている。
【００１９】
ここで、前記ビデオメモリ制御手段は、０ライン目の帰線期間内における文字書込期間以外の期間に、ビデオメモリから画像データを読み出して第１の画像表示メモリに書き込み、１ライン目以降の帰線期間内における文字書込期間以外の期間に、ビデオメモリから当該ラインの次のラインの画像データを読み出して前記第２の画像表示メモリまたは前記第１の画像表示メモリに１ライン毎に交互に書き込むことにより、確実に画像データの表示を可能にしている。
【００２０】
前記表示出力手段は、前記１水平期間内における表示期間に前記文字表示メモリから文字データを読み出すとともに、前記文字データに対応したラインの画像データを、第１の画像表示メモリまたは第２の画像表示メモリから水平走査１ライン毎に交互に読み出し、文字データについてはパレット参照して文字データに色付けし、文字データが透明色に色付けされたときは画像データを、文字データが透明色以外の色に色付けされたときは文字データを選択して表示させることにより、文字データと画像データとが重なり合った画像を得ることができる。
そして、本発明に係るオーディオ・ビジュアル機器は、上述の表示制御回路を備えていることを特徴としている。
【００２１】
【発明の実施の形態】
本発明に係るオーディオ・ビジュアル機器の表示制御回路およびオーディオ・ビジュアル機器の好ましい実施の形態を、添付図面に従って詳細に説明する。
図２は本発明の実施形態に係るオーディオ・ビジュアル機器（ＡＶ機器）１０の斜視図である。このＡＶ機器１０の本体１２は図３の回路を内蔵しており搭載した電池によって駆動可能な携帯用であって、テレビ受信機能、ＦＭ放送受信機能、蓄積した音楽データの再生機能、さらにはデジタルカメラ等で撮影した画像データを再生する画像再生機能を有している。
【００２２】
本体１２の正面側の右側部には、メインスイッチ２０、メニュースイッチ２４及びジョグスイッチからなる選択スイッチ２２がそれぞれ取り付けられており、このメインスイッチ２０をオンにすると、機器制御部（ＣＰＵ）４４は表示制御部５２を介してビデオメモリ（ＶＲＡＭ）５４にメニュー画面を作成し、液晶コントローラ３６を介して表示部１４に送り出されて、メニュー画面が表示される。メニュー（動作モード）として、例えば、テレビ受信モード（ＴＶモード）、ＦＭラジオ受信モード（ＦＭモード）、蓄積した音楽データ（音響データ）を再生するオーディオモード、デジタルカメラ等により撮影した画像データなどを表示させる画像モード等があり、選択スイッチ２２を上または下に動かすことによりモードが選択される。また、選択されたモードからメニュー画面に移行する場合はメニュースイッチ２４を押すことにより移行する。
【００２３】
なお、本体１２の上部端面には図示しない音量ボタンが取り付けられている。また、本体１２には音響出力部となるイヤホンジャックが設けてあり、このイヤホンジャックを介してヘッドホンやイヤホンによって音楽データ（音響データ）が出力されるようになっている。さらに、本体１２の左側部には、外部記憶装置となるメモリカードを装着する挿入口が設けられており、蓄積した音楽データや、デジタルカメラ等により撮影された画像データ等を記録したメモリカードを装着することにより、メモリカードＩ／Ｆ４６を介して音楽の再生や画像の再生が出来るようになっている。
【００２４】
そして、その正面にはカバー１６が開閉自在に取り付けられており、このカバー１６を開くと、カラー液晶パネル（ＬＣＤ）等で構成された表示部１４が現れる。
また、蓋１６の基部には、蓋１６の開閉に連動してパルス状の信号を出力する表示スイッチ１８が設けてあり、蓋１６が開いた状態にある時は表示部１４がオンされて画像情報が表示され、蓋１６を閉じて表示部を遮蔽すると表示部１４がオフされて画像情報が消えるようになっており、消費電力の節約が図られるようになっている。
【００２５】
図３は本発明のＡＶ機器１０の構成を示したブロック図である。このＡＶ機器１０は、アンテナ２６、ＴＶチューナ２８、ＩＦ・クロマ処理部３２、音声検波部３８、表示切替え部３４、液晶コントローラ３６、表示部１４、ＦＭチューナ３０、音声増幅部４０、音声発生部４２、機器制御部（ＣＰＵ）４４、メモリカードＩ／Ｆ４６、音声・画像再生部５０、表示制御部５２、ビデオメモリ（ＶＲＡＭ）５４を備えている。
【００２６】
アンテナ２６により受信された電波は、ＴＶチューナ２８によりチューニングされ、ＩＦ・クロマ処理部３２によりテレビの画像信号（映像信号）が復調され、また、音声信号は音声検波部３８により検波される。ＩＦ・クロマ処理部３２により復調された画像信号（映像信号）は、表示切替え部３４を介して液晶コントローラ３６に送り出されて表示部１４にテレビ画像が表示される。
【００２７】
また、音声検波部３８により検波された音声信号、ＦＭチューナ３０によりチューニングされた音声信号、および音声・画像再生部５０により再生された音声信号は、音声増幅部４０に入力されて増幅され、音声発生部４２により音声が得られる。なお、音声増幅部４０は、機器制御部（ＣＰＵ）４４からの制御信号により、入力された音声信号の何れか１つを選択してその音声信号を増幅する。例えば、動作モードがＴＶモードに設定されている場合には音声検波部３８により検波された音声信号が選択され、動作モードがＦＭモードに設定されている場合にはＦＭチューナ３０によりチューニングされた音声信号が選択され、動作モードがオーディオモードまたは画像モードに設定されている場合には音声・画像再生部５０により再生された音声信号が選択される。
【００２８】
次に、動作モードとしてＴＶモードが設定された場合の動作について説明する。アンテナ２６により受信された電波は、ＴＶチューナ２８で所定のチャネルにチューニングされる。ＩＦ・クロマ処理部３２はそのチューニングされた信号から画像信号（映像信号）を得て、その画像信号（映像信号）の輝度信号及び色信号を３原色（Ｒ、Ｇ、Ｂ）の画像信号に復調して、表示切替え部３４に送出する。動作モードがＴＶモードに設定されているときには、表示切替え部３４はＩＦ・クロマ処理部３２からの画像信号を液晶コントローラ３６に出力する。液晶コントローラ３６はその画像信号に基づいて表示部１４にテレビ画像を表示させる。また、音声検波部３８は、ＴＶチューナ２８で所定のチャネルにチューニングされた信号から音声信号を検波して音声増幅部４０に出力する。音声増幅部４０はその音声信号を増幅して音声発生部４２に出力し、音声発生部４２から上記の表示部１４のテレビ画像に対応した音声が出力される。
【００２９】
また、動作モードがＦＭモードに設定された場合については、アンテナ２６により受信された電波は、ＦＭチューナ３０で所定の周波数にチューニングされ、その音声信号は音声増幅部４０に出力される。音声増幅部４０はその音声信号を増幅して音声発生部４２に出力し、チューニングされた局の放送の音声が出力される。
【００３０】
また、動作モードが画像モードに設定されている場合については、デジタルカメラ等で撮影した画像をメモリカードに格納しておいて、メモリカードをメモリカード挿入口に挿入して装着する。機器制御部（ＣＰＵ）４４はメモリカードＩ／Ｆ４６を介してメモリカードに格納されている音声データ（メモリカードに音声データも格納されている場合）および画像データを取り込んで、音声・画像再生部５０に出力する。音声・画像再生部５０は音声データおよび画像データをそれぞれ再生し、音声信号を音声増幅部４０に出力し、画像データを表示制御部５２に出力する。音声増幅部４０は入力された音声信号を増幅して音声発生部４２に出力し、音声発生部４２からメモリカードに格納されている音声が出力される。また、表示制御部５２は画像データをビデオメモリ５４に格納して表示画像を展開した後に表示切替え部３４に出力する。動作モードが画像モードに設定されている場合には、表示切替え部３４は表示制御部５２からの画像信号を液晶コントローラ３６に出力する。液晶コントローラ３６はその画像信号に基づいて表示部１４にデジタルカメラの画像を表示させる。
【００３１】
図１は、表示系統９０の構成を示したブロック図であり、表示制御部５２は、図１に示したように、表示系統９０の一部を構成している。表示系統９０は、各種制御を実行する処理装置である機器制御部４４と、表示データを格納しあるいは表示データ作成時の作業領域を提供するビデオメモリ（ＶＲＡＭ）５４と表示画面データを画像にするカラー液晶パネル（ＬＣＤ）からなる表示部１４と、前記機器制御部４４による書込・読出が可能とされ、かつ前記ビデオメモリ５４から表示データを読み出して表示部１４に与える表示制御部５２と、メモリカードに記録されたデータを再生する音声・画像再生部５０、並びに表示制御部５２と表示部１４との間に介在させた表示切替え部３４（図３参照）、液晶コントローラ３６（図３参照）から構成されている。
【００３２】
また、上述した表示制御部５２は、バッファ９２と、ビデオメモリ制御部９４と、文字表示メモリ９６ｍと、画像表示メモリ９６ａ、９６ｂと、表示出力手段９８とから構成されている。なお、この表示出力手段９８は、文字表示メモリ９６ｍからデータを読み出してパレット変換するパレット変換手段９８ａとパレット変換手段９８ａからの表示データと画像表示メモリ９６ａあるいは画像表示メモリ９６ｂからの表示データとを合成し表示部１４に与える合成手段９８ｂと図示しないＯＳＤ（オンスクリーンディスプレイ）回路とから構成されている。
【００３３】
このような構成要素からなる本発明の実施形態において、表示部１４に、文字・画像の少なくとも１つ以上からなるデジタル面か、テレビジョン映像か、あるいは、オンスクリーンディスプレイ手法による表示かを表示させることができる。この場合、デジタル面とテレビジョン映像とは、表示切替え部３４の切替えにより行われる。
【００３４】
さらに、各構成要素の詳細を説明すると、機器制御部４４は、ＣＰＵ（中央演算処理装置）で構成されており、図示しない主メモリに格納されたプログラムを処理することにより、ＡＶ機器１０の操作部からの操作指令に基づいてＡＶ機器１０の各種機能、制御を実行する。
【００３５】
前記ビデオメモリ（ＶＲＡＭ）５４は、所定の記憶容量を有するランダムアクセスメモリである。そして、表示部１４は、所定の画面寸法で、例えば９３．３画素×２２０画素の画素数（横２８０ドット×縦２２０ドット）をもったカラー液晶ディスプレイから構成されている。
【００３６】
次に、表示制御部５２を構成する要素の詳細を説明すると、前記バッファ９２は文字で１行分の記憶容量を有しており、例えば横１６ドット×縦１６ドット×１７．５文字分に、カラー表示用に１ドット当たりのデータは２ビットで構成されているので、合計１１２０バイトの記憶容量に設定している。このバッファ９２は機器制御部４４により書き込みあるいは読み出しができるようになっている。また、上記バッファ９２は、ビデオメモリ制御手段９４により書き込みあるいは読み出しができるようになっている。
【００３７】
ここで、ビデオメモリ内のデータ構成について述べる。文字データについては２ビット／ドット（即ち１ドットについて４色の表現ができる）、画像データについては１６ビット／画素（ＲＧＢの各ドットに分解するとＲとＢとは５ビット、Ｇは６ビットとなり１画素について６万５千色の表示ができる）から構成されている。そして、表示部１４に送出するデータはすべて１６ビット／ドット（ＲＧＢの各ドットで実際に有効なデータは、ＲとＢとは５ビット、Ｇは６ビット）のデータとなっている。この際、文字についてはカラーパレットによってデータが２ビット／ドットから１６ビット／ドットに変換され、画像については１６ビット／画素が各ドットに拡張されて１６ビット／ドットに変換される。
【００３８】
文字表示メモリ９６ｍは、２ビット／ドットで構成されたデータを、前記表示部１４の少なくとも水平方向１ライン分の記憶容量を備えたラインメモリである。
第１の画像表示メモリ９６ａと第２の画像表示メモリ９６ｂは、１６ビット／画素で構成された、前記表示部１４の少なくとも水平方向１ライン分記憶できる容量を備えたラインメモリである。
【００３９】
これら第１の画像表示メモリ９６ａと第２の画像表示メモリ９６ｂとは、第１の画像表示メモリ９６ａが書き込まれているときに第２の画像表示メモリ９６ｂから表示データが読み出され、あるいは、第２の画像表示メモリ９６ｂが書き込まれているときに第１の画像表示メモリ９６ａから表示データが読み出される、というように使用される。
【００４０】
前記ビデオメモリ制御手段９４は、バッファ９２に書き込まれたデジタル面データをビデオメモリ５４に書き込むことができるようになっている。このビデオメモリ制御手段９４は、１水平期間における帰線期間内の文字書込期間にビデオメモリ５４から文字データを読み出し、その読み出したデータ、即ち２ビット／ドットのデータのままで前記文字表示メモリ９６ｍに書き込む処理を行なう。また、ビデオメモリ制御手段９４は、文字書込期間以外の期間にビデオメモリ５４から画像データを読み出し、１ライン毎に交互に第１の画像表示メモリ９６ａまたは画像表示メモリ９６ｂに書き込む処理を行なう。
【００４１】
表示出力手段９８は、前記１水平期間内における表示期間に、文字表示メモリ９６ｍから文字データを読み出し、パレット変換手段９８ａで文字データについてパレット参照する。パレット変換手段９８ａは、実施形態の場合、文字データのドットについての２ビットが「００」である場合、文字データに透明色の色付けをしたデータを出力し、文字データのドットについての２ビットが「００」以外の場合、透明色以外の予め定めた色に色付けしたデータを出力する。さらに、表示出力手段９８は、第１の画像表示メモリ９６ａ、または、第２の画像表示メモリ９６ｂから１ライン毎に交互に画像データを読み出し、パレット参照して色付けされた文字データと画像データとを合成手段９８ｂで合成し、表示切替え部３４（図３参照）、液晶コントローラ３６（図３参照）を介して表示部１４に表示させる処理を実行する。
【００４２】
このとき、前記表示出力手段９８の合成手段９８ｂでは、文字データと画像データとを合成する際に、元の（２ビット／ドットの）文字データが所定の値（本実施形態においては、２ビットのデータが「００」）のとき、すなわちパレット変換手段９８ａが透明色を色付けしたデータを出力したときは、画像データを選択して表示部１４に与えて表示させる処理を行う。また、合成手段９８ｂは、元の文字データのドットについての２ビットが「００」以外であって、パレット変換手段９８ａが透明色以外の色付けしたデータを出力した場合、文字データを選択して表示部１４に与えて表示させる処理を実行する。
【００４３】
なお、上述した「デジタル面」は、文字と画像とを重ね合わせて表示が可能となっている。また、「デジタル面」は、「通常文字面」と「スクロール文字」との組み合わせで表示されるものである。また、「通常文字面」と「スクロール文字」とは、ビデオメモリ５４上の別なエリアに格納されているが、表示の際に重ね合わせることが可能である。また、画像データは、ビデオメモリ５４内において、文字データとは別な記憶エリアに格納されている。
【００４４】
《文字データと画像データの重ね合わせの処理動作》
次に、ＡＶ機器１０の表示制御部５２の動作を、図１及び図４を参照しながら説明する。
図４は、本発明に係るＡＶ機器１０の表示制御回路の重ね合わせ処理動作を説明するためのタイミングチャートである。
【００４５】
（０ライン目の処理）
ここで０ライン目とは、表示部１４の垂直走査において、実際に表示される最初のライン（１ライン目）のデータを表示部１４に送る水平ラインの直前のラインを意味している。
【００４６】
ビデオメモリ制御手段９４は、垂直同期信号が与えられる所定の期間後の０ライン目の開始のタイミングにおいて０ライン目の処理を開始し、水平同期信号が与えられた時点を開始時点ｔ０とし、帰線期間（ｔ０〜ｔ２）内における文字書込期間（ｔ０〜ｔ１）には、本来は水平クロックに同期してビデオメモリ５４からデータを読み出しては文字表示メモリ９６ｍに書き込む。しかし、ここでは時間のみを経過させて、ビデオメモリ５４及び文字表示メモリ９６ｍにはアクセスしない。なお、ビデオメモリ５４からダミーのデータを読み出して文字表示メモリ９６ｍに書き込むことも可能である。
【００４７】
そして、ビデオメモリ制御手段９４は、文字書込期間終了時点（ｔ１）に達すると、ｔ１〜ｔ３の期間において、水平クロックに同期させてビデオメモリ５４から、１ライン目の画像データを読み出し、第１の画像表示メモリ９６ａに書き込む処理を行なう。その後、１ライン目の画像データの書き込みが終了したｔ３から水平期間の終わりｔ４まで書込み処理を行わない。
一方、上記表示出力手段９８は、０ライン目においては表示処理を行わない。
【００４８】
（１ライン目の処理）
ｔ４（ｔ０）になると、ビデオメモリ制御手段９４は、１ライン目の処理を開始し、水平同期信号が与えられた時点をｔ０とし、帰線期間（ｔ０〜ｔ２）内における文字書込期間（ｔ０〜ｔ１）に、水平クロックに同期させてビデオメモリ５４から１ライン目の文字データを読み出して文字表示メモリ９６ｍに書き込む。
【００４９】
そして、ビデオメモリ制御手段９４は、文字書込期間終了時点（ｔ１）に達すると、ｔ１〜ｔ３の期間において、水平クロックに同期させてビデオメモリ５４から２ライン目の画像データを読み出して、第２の画像表示メモリ９６ｂに書き込む処理を行なうが、２ライン目の画像データの書き込みが終了したｔ３から水平期間の終わりｔ４まで書込み処理を行わない。
【００５０】
一方、上記表示出力手段９８は、１ライン目の処理においてｔ２に達すると表示期間に入り、表示期間中（ｔ２〜ｔ４）、水平クロックに同期をさせて文字表示メモリ９６ｍから１ライン目の文字データを読み出すと同時に、第１の画像表示メモリ９６ａから１ライン目の画像データを読み出し、文字データについてパレット変換手段９８ａにてパレット参照し、合成手段９８ｂにより文字データまたは画像データを選択し表示部１４に与えて表示させる。
【００５１】
（２ライン目の処理）
再び、ｔ４（ｔ０）になると、ビデオメモリ制御手段９４は、２ライン目の処理を開始し、水平同期信号が与えられた時点をｔ０とし、帰線期間（ｔ０〜ｔ２）内における文字書込期間（ｔ０〜ｔ１）に、水平クロックに同期させてビデオメモリ５４から２ライン目の文字データを読み出して文字表示メモリ９６ｍに書き込む。  そして、ビデオメモリ制御手段９４は、文字書込期間終了時点（ｔ１）に達すると、ｔ１〜ｔ３の期間において、水平クロックに同期させてビデオメモリ５４から３ライン目の画像データを読み出し、第１の画像表示メモリ９６ａに書き込む処理を行なうが、画像の書き込みが終了したｔ３から水平期間の終わりｔ４まで書込み処理を行わない。
【００５２】
一方、上記表示出力手段９８は、２ライン目の処理において、ｔ２に達すると表示期間に入り、表示期間中（ｔ２〜ｔ４）、水平クロックに同期をさせて文字表示メモリ９６ｍから２ライン目の文字データを読み出すと同時に、第２の画像表示メモリ９６ｂから、１ライン目の処理において書き込まれた２ライン目の画像データを読み出し、文字データについてパレット変換手段９８ａにてパレット参照し、当該参照結果に応じて合成手段９８ｂにより文字データまたは画像データを選択し表示部１４に与えて表示させる。
【００５３】
（３ライン目以降で奇数ラインの処理）
ビデオメモリ制御手段９４は、３ライン、５ライン、７ライン、………の奇数ラインにおける処理では、文字書込期間（ｔ０〜ｔ１）内において、水平クロックに同期させてビデオメモリ５４から、３ライン目、５ライン目、７ライン目、………の文字データ、すなわち当該処理ラインに対応したラインの文字データを読み出しては文字表示メモリ９６ｍに書き込み、ｔ１に達すると以後ｔ３まで、水平クロックに同期させてビデオメモリ５４から、当該処理ラインに対して１ライン先の４ライン目、６ライン目、８ライン目………の画像データを読み出しては第２の画像表示メモリ９６ｂに書き込む処理を行なう。
【００５４】
一方、表示出力手段９８は、３ライン、５ライン、７ライン、………の奇数ラインにおける処理では、表示期間（ｔ２〜ｔ４）において、文字表示メモリ９６ｍから当該処理ラインに対応した３ライン目、５ライン目、７ライン目、………のように奇数ラインの文字データ読み出すとともに、第１の画像表示メモリ９６ａから直前の偶数ラインの処理において書き込んだ３ライン目、５ライン目、７ライン目、………の画像データを読み出し、合成手段９８ｂによる合成処理をし表示部１４に与えている。
【００５５】
（３ライン目以降で偶数ラインの処理）
ビデオメモリ制御手段９４は、４ライン、６ライン、８ライン、………の偶数ラインにおける処理では、文字書込期間（ｔ０〜ｔ１）内において、水平クロックに同期させてビデオメモリ５４から、当該処理ラインに対応した偶数ラインの文字データを読み出しては文字表示メモリ９６ｍに書き込み、ｔ１に達すると以後ｔ３まで、水平クロックに同期させてビデオメモリ５４から当該処理ラインに対して１つ次の奇数ラインの画像データを読み出しては第１の画像表示メモリ９６ａに書き込む処理を行なう。
【００５６】
一方、表示出力手段９８は、４ライン、６ライン、８ライン、………の偶数ラインにおける処理では、表示期間（ｔ２〜ｔ４）において、文字表示メモリ９６ｍから当該処理ラインに対応した偶数ラインの文字データを読み出し、ビデオメモリ制御手段９４が直前の奇数ラインにおける処理において第２の画像表示メモリ９６ｂに書き込んだ、当該処理ラインに対応した偶数ラインの画像データを読み出し、合成手段９８ｂによる合成処理をし表示部１４に与えている。
最終ラインの処理が終了した後、垂直同期信号により再び、０ラインからの処理を開始する。
【００５７】
すなわち、ビデオメモリ制御手段９４は、１水平期間における帰線期間（ｔ０〜ｔ２）内の文字書込期間（ｔ０〜ｔ１）において、ビデオメモリ５４から文字データを読み出し、その読み出したデータのままで前記文字表示メモリ９６ｍに書き込み、前記文字書込期間以外の期間（ｔ１〜ｔ３）に、水平クロックに同期させてビデオメモリ５４から、文字データを読み出したラインの次のラインの画像データを読み出し、１ライン毎に交互に第１の画像表示メモリ９６ａまたは第２の画像表示メモリ９６ｂに書き込む処理を行っている。
【００５８】
上述のとおり、ビデオメモリ制御手段９４により、文字データについては帰線期間内における文字書込期間にビデオメモリから文字表示メモリ９６ｍに書き込み、前記文字書込期間以外で表示に使用されていない画像表示メモリ９６（９６ａ、９６ｂ）に画像データを書き込み、また、表示出力手段により、前記１水平期間内における表示期間に前記文字表示メモリから文字データを読み出すとともに第１の画像表示メモリ９６ａまたは第２の画像表示メモリ９６ｂから１ライン毎に交互に画像データを読み出し、文字データについてパレット参照し、文字データまたは画像データを合成して表示させることができる。
【００５９】
なお、上述した本願の実施形態では、第１の画像表示メモリ９６ａあるいは第２の画像表示メモリ９６ｂに画像データを書き込むときに、ｔ１〜ｔ３で行わせるのが望ましいものとして説明したが、これに限定されることなく、ｔ１〜ｔ４の間で画像データ書込期間（ｔ１〜ｔ３）が取れる範囲であれば、文字書込終了時点（ｔ１）直後でなくてもよい。
【００６０】
【発明の効果】
以上説明したように本発明によれば、つぎのような効果がある。
（１）文字表示メモリが１つと、第１の画像表示メモリと第２の画像表示メモリの３本のラインメモリで構成できるので、部品点数が少なく、回路構成も簡単である。
（２）多彩な画面表示を行わせることができるほか、簡単な回路構成で高速に動作させることができる。
（３）文字データと画像データというフォーマットの違うデータの重ね合わせを、簡単な回路構成で行なうことができ、かつ、画像の描画と表示の競合制御を簡素化できる。
【図面の簡単な説明】
【図１】本発明の実施の形態に係るオーディオ・ビジュアル機器の表示制御部を含む表示系統を示すブロック図である。
【図２】本発明の実施の形態に係るオーディオ・ビジュアル機器の斜視図である。
【図３】実施の形態に係るオーディオ・ビジュアル機器のブロック図である。
【図４】実施の形態に係るオーディオ・ビジュアル機器の表示制御部の、文字データと画像データとを重ね合せて処理する動作を説明するためのタイミングチャートである。
【図５】従来のオーディオ・ビジュアル機器における表示系統を示すブロック図である。
【図６】第２の従来技術を説明するための図であり、（１）はパレットデータのまま表示メモリに書き込む場合の説明図であり、（２）は画像データと文字データとを重ね合わせる場合にパレット参照を加えた場合の説明図である。
【符号の説明】
１０………ＡＶ機器、１４………表示部、
４４………処理装置（機器制御部）、５０………音声・画像処理部、
５２………表示制御回路（表示制御部）、５４………ビデオメモリ、
９０………表示系統、９２………バッファ、
９４………ビデオメモリ制御手段、９６ｍ………文字表示メモリ、
９６ａ………第１の画像表示メモリ、９６ｂ………第２の画像表示メモリ、
９８………表示出力手段、９８ａ………パレット変換手段、
９８ｂ………合成手段。
【図１】
0003632847.tif 000002
【図２】
0003632847.tif 000003
【図３】
0003632847.tif 000004
【図４】
0003632847.tif 000005
【図５】
0003632847.tif 000006
【図６】
0003632847.tif 000007